(57)【要約】【課題】警報を聴覚障害者にも分かりやすく効果的に伝える。【解決手段】信号判断部１４は、サーバ５０から受信した警報信号から警報レベルを解釈する（Ｓ２）。信号判断部１４は、制御テーブル１５を参照し、警報信号から解釈した警報レベルに対応する家電機器３００の制御内容を特定する（Ｓ３）。信号判断部１４は、特定した家電機器３００の制御内容を埋め込んだ制御信号を家電機器３００に送信するよう信号処理部１３に依頼する。信号処理部１３は、信号判断部１４の依頼に応じ、特定した家電機器３００の制御内容を埋め込んだ制御信号を生成する。この制御信号は信号発信部１７ｂによって家電機器３００に送信される（Ｓ４）。家電機器３００はセキュリティ装置１から制御信号を受信すると、制御信号に埋め込まれた制御内容に従った動作を行う（Ｓ５）。【選択図】  図８
2006302110.tif 000002
【特許請求の範囲】
【請求項１】
警報レベルの埋め込まれた警報信号を外部ネットワーク経由で受信する受信部と、
家電機器の制御内容と警報レベルとを対応づけて記憶する制御テーブルと、
前記受信部の受信した警報信号から警報レベルを解釈し、前記制御テーブルに基づいて前記解釈した警報レベルに対応した家電機器の制御内容を特定する信号判断部と、
前記信号判断部の特定した家電機器の制御内容を埋め込んだ制御信号を前記家電機器にホームネットワーク経由で送信する送信部と、
を備えるセキュリティ装置。
【請求項２】
前記受信部は前記家電機器の利用状態を示す通知を前記ホームネットワーク経由で受信し、
前記受信部が前記通知を受信したことに応じて前記家電機器の利用状態を記憶する管理テーブルをさらに備え、
前記信号判断部は前記管理テーブルに記憶された前記家電機器の利用状態に応じて前記制御信号を送信するか否かを決定し、
前記送信部は前記信号判断部が前記制御信号を送信すると決定したことに応じて前記制御信号を送信する請求項１に記載のセキュリティ装置。
【請求項３】
前記信号判断部の解釈した警報レベルに応じた内容を表示する表示部をさらに備える請求項１又は２に記載のセキュリティ装置。
【請求項４】
前記信号判断部の解釈した警報レベルに応じて前記家電機器への電源供給を制御する電源制御部をさらに備える請求項１〜３のいずれかに記載のセキュリティ装置。
【請求項５】
警報信号を外部ネットワーク経由で受信し、家電機器の利用状態を示す通知をホームネットワーク経由で受信する受信部と、
前記受信部が前記通知を受信したことに応じて前記家電機器の利用状態を記憶する管理テーブルと、
前記受信部の受信した警報信号に基づいて前記家電機器の制御内容を特定し、前記管理テーブルに記憶された前記家電機器の利用状態に応じて制御信号を送信するか否かを決定する信号判断部と、
前記信号判断部が前記制御信号を送信すると決定したことに応じ、前記信号判断部が特定した家電機器の制御内容を埋め込んだ制御信号を前記家電機器に前記ホームネットワーク経由で送信する送信部と、
を備えるセキュリティ装置。
【請求項６】
警報レベルの埋め込まれた警報信号を外部ネットワーク経由で送信するサーバと、
前記警報信号を前記外部ネットワーク経由で受信する受信部、家電機器の制御内容と警報レベルとを対応づけて記憶する制御テーブル、前記受信部の受信した警報信号から警報レベルを解釈し、前記制御テーブルに基づいて前記解釈した警報レベルに対応した家電機器の制御内容を特定する信号判断部、前記信号判断部の特定した家電機器の制御内容を埋め込んだ制御信号を前記家電機器にホームネットワーク経由で送信する送信部、を備えるセキュリティ装置と、
前記制御信号を前記ホームネットワーク経由で受信し、受信した制御信号に埋め込まれた制御内容に応じた動作を行う家電機器と、
を備えるホームセキュリティシステム。
【請求項７】
警報信号を外部ネットワーク経由で送信するサーバと、
前記警報信号を前記外部ネットワーク経由で受信し、家電機器の利用状態を示す通知をホームネットワーク経由で受信する受信部、前記受信部が前記通知を受信したことに応じて前記家電機器の利用状態を記憶する管理テーブル、前記受信部の受信した警報信号に基づいて前記家電機器の制御内容を特定し、前記管理テーブルに記憶された前記家電機器の利用状態に応じて制御信号を送信するか否かを決定する信号判断部、前記信号判断部が前記制御信号を送信すると決定したことに応じ、前記信号判断部が特定した家電機器の制御内容を埋め込んだ制御信号を前記家電機器に前記ホームネットワーク経由で送信する送信部、を備えるセキュリティ装置と、
前記制御信号を前記ホームネットワーク経由で受信し、受信した制御信号に埋め込まれた制御内容に応じた動作を行う家電機器と、
を備えるホームセキュリティシステム。
【請求項８】
警報レベルの埋め込まれた警報信号を外部ネットワーク経由で受信するステップと、
家電機器の制御内容と警報レベルとを対応づけて制御テーブルに記憶するステップと、
受信した警報信号から警報レベルを解釈し、前記制御テーブルに基づいて前記解釈した警報レベルに対応した家電機器の制御内容を特定するステップと、
特定した家電機器の制御内容を埋め込んだ制御信号を前記家電機器にホームネットワーク経由で送信するステップと、
を含む家電機器制御方法。
【請求項９】
警報信号を外部ネットワーク経由で受信し、家電機器の利用状態を示す通知をホームネットワーク経由で受信するステップと、
前記通知を受信したことに応じて前記家電機器の利用状態を管理テーブルに記憶するステップと、
受信した警報信号に基づいて前記家電機器の制御内容を特定し、前記管理テーブルに記憶された前記家電機器の利用状態に応じて制御信号を送信するか否かを決定するステップと、
前記制御信号を送信すると決定したことに応じ、特定した家電機器の制御内容を埋め込んだ制御信号を前記家電機器に前記ホームネットワーク経由で送信するステップと、
を含む家電機器制御方法。
【請求項１０】
警報レベルの埋め込まれた警報信号を外部ネットワーク経由で受信するステップと、
家電機器の制御内容と警報レベルとを対応づけて制御テーブルに記憶するステップと、
受信した警報信号から警報レベルを解釈し、前記制御テーブルに基づいて前記解釈した警報レベルに対応した家電機器の制御内容を特定するステップと、
特定した家電機器の制御内容を埋め込んだ制御信号を前記家電機器にホームネットワーク経由で送信するステップと、
をコンピュータに実行させる家電機器制御プログラム。
【請求項１１】
警報信号を外部ネットワーク経由で受信し、家電機器の利用状態を示す通知をホームネットワーク経由で受信するステップと、
前記通知を受信したことに応じて前記家電機器の利用状態を管理テーブルに記憶するステップと、
受信した警報信号に基づいて前記家電機器の制御内容を特定し、前記管理テーブルに記憶された前記家電機器の利用状態に応じて制御信号を送信するか否かを決定するステップと、
前記制御信号を送信すると決定したことに応じ、特定した家電機器の制御内容を埋め込んだ制御信号を前記家電機器に前記ホームネットワーク経由で送信するステップと、
をコンピュータに実行させる家電機器制御プログラム。
【発明の詳細な説明】
【技術分野】
【０００１】
本発明は外部で生じた災害等の危険発生を家庭に通知する技術に関する。
【背景技術】
【０００２】
従来、警報を確実に伝えるための技術が様々開発されている。例えば特許文献１によると、機器収容箱に収納した地区音響装置の鳴動表示回路により、音響警報の鳴動時に表示灯を点滅又は明滅させる。また特許文献２によると、家屋等へ侵入する侵入者を検出したときに異常検出信号を出力する防犯センサーから当該異常検出信号を受けたときにその侵入者に対して１次警報を与える警報器と、１次警報出力後、使用者がさらに異常を検出して再警報信号を入力したときに、１次警報時に駆動された警報器以外の警報器を含む複数の警報器を駆動して２次警報を再度侵入者に与える２次警報出力手段を備えたホーム端末を開示している。このホーム端末は、複数の警報器や全照明装置、テレビ等のＡＶ機器、音声出力装置等を駆動して、家屋を外観から見る隣近所の人達にも異常が発生したことを報知させる。
【特許文献１】特開平９−２６５５９４号公報
【特許文献２】特開２００３−２２８７８３号公報
【発明の開示】
【発明が解決しようとする課題】
【０００３】
特許文献１の技術では、鳴動装置の近傍に人がいれば効果的であるが、近くに人がいなければ表示灯を点滅させても警報の効果は乏しく、特に、鳴動の認識できない聴覚障害者にとって確実な警報通知の手段とは言い難い。特許文献２の技術では、複数の警報機を無秩序に駆動するだけであり、どのような危険が具体的に生じているのか把握するのは困難である。本発明はこのような問題点に鑑みてなされたもので、警報を聴覚障害者にも分かりやすく効果的に伝えることを目的とする。また、本発明はどのような危険が生じているのかを分かりやすく伝えることを目的とする。
【課題を解決するための手段】
【０００４】
上述の課題を解決するため、本願発明に係るセキュリティ装置は、警報レベルの埋め込まれた警報信号を外部ネットワーク経由で受信する受信部と、家電機器の制御内容と警報レベルとを対応づけて記憶する制御テーブルと、受信部の受信した警報信号から警報レベルを解釈し、制御テーブルに基づいて解釈した警報レベルに対応した家電機器の制御内容を特定する信号判断部と、信号判断部の特定した家電機器の制御内容を埋め込んだ制御信号を家電機器にホームネットワーク経由で送信する送信部と、を備える。
【０００５】
この発明では、外部ネットワークから警報信号を受信すると、警報信号に埋め込まれた警報レベルに応じた制御内容を埋め込んだ制御信号を家電機器に送信する。家電機器は、警報レベルに応じた制御内容で動作するため、家人が聴覚障害者であっても、家電機器の動作によって警報レベルを一目瞭然で把握できる。
【０００６】
このセキュリティ装置において、受信部は家電機器の利用状態を示す通知をホームネットワーク経由で受信し、受信部が通知を受信したことに応じて家電機器の利用状態を記憶する管理テーブルを設け、信号判断部は管理テーブルに記憶された家電機器の利用状態に応じて制御信号を送信するか否かを決定し、送信部は信号判断部が制御信号を送信すると決定したことに応じて制御信号を送信するようにしてもよい。
【０００７】
家電機器の利用状況は、その家電機器の近傍に家人が存在するか否かを示すものと考えられるから、近傍に家人の存在する家電機器に制御信号を送信して動作させることで、さらに確実に警報の内容を通知することができる。
【０００８】
信号判断部の解釈した警報レベルに応じた内容をＬＣＤなどの表示装置に表示してもよい。この表示装置はセキュリティ装置に設けてもよいし別体であってもよい。
【０００９】
信号判断部の解釈した警報レベルに応じて家電機器への電源供給を制御してもよい。
【００１０】
こうすると、警報信号受信時において所望の家電機器の作動を強制的に停止あるいは開始させることができる。
【００１１】
また、上記課題を解決するため、本発明に係るセキュリティ装置は、警報信号を外部ネットワーク経由で受信し、家電機器の利用状態を示す通知をホームネットワーク経由で受信する受信部と、受信部が通知を受信したことに応じて家電機器の利用状態を記憶する管理テーブルと、受信部の受信した警報信号に基づいて家電機器の制御内容を特定し、管理テーブルに記憶された家電機器の利用状態に応じて制御信号を送信するか否かを決定する信号判断部と、信号判断部が制御信号を送信すると決定したことに応じ、信号判断部が特定した家電機器の制御内容を埋め込んだ制御信号を家電機器にホームネットワーク経由で送信する送信部と、を備える。
【００１２】
この発明によると、家電機器の利用状況に応じて制御信号を送信するため、利用中の家電機器の近傍に存在すると考えられる家人に警報を通知することができ、通知の確実性が高まる。
【００１３】
また、上記課題を解決するため、本発明に係るホームセキュリティシステムは、警報レベルの埋め込まれた警報信号を外部ネットワーク経由で送信するサーバと、警報信号を外部ネットワーク経由で受信する受信部、家電機器の制御内容と警報レベルとを対応づけて記憶する制御テーブル、受信部の受信した警報信号から警報レベルを解釈し、制御テーブルに基づいて解釈した警報レベルに対応した家電機器の制御内容を特定する信号判断部、信号判断部の特定した家電機器の制御内容を埋め込んだ制御信号を家電機器にホームネットワーク経由で送信する送信部、を備えるセキュリティ装置と、制御信号をホームネットワーク経由で受信し、受信した制御信号に埋め込まれた制御内容に応じた動作を行う家電機器と、を備える。
【００１４】
また、上記課題を解決するため、本発明に係るホームセキュリティシステムは、警報信号を外部ネットワーク経由で送信するサーバと、警報信号を外部ネットワーク経由で受信し、家電機器の利用状態を示す通知をホームネットワーク経由で受信する受信部、受信部が通知を受信したことに応じて家電機器の利用状態を記憶する管理テーブル、受信部の受信した警報信号に基づいて家電機器の制御内容を特定し、管理テーブルに記憶された家電機器の利用状態に応じて制御信号を送信するか否かを決定する信号判断部、信号判断部が制御信号を送信すると決定したことに応じ、信号判断部が特定した家電機器の制御内容を埋め込んだ制御信号を家電機器にホームネットワーク経由で送信する送信部、を備えるセキュリティ装置と、制御信号をホームネットワーク経由で受信し、受信した制御信号に埋め込まれた制御内容に応じた動作を行う家電機器と、を備える。
【００１５】
また、上記課題を解決するため、本発明に係る家電機器制御方法は、警報レベルの埋め込まれた警報信号を外部ネットワーク経由で受信するステップと、家電機器の制御内容と警報レベルとを対応づけて制御テーブルに記憶するステップと、受信した警報信号から警報レベルを解釈し、制御テーブルに基づいて解釈した警報レベルに対応した家電機器の制御内容を特定するステップと、特定した家電機器の制御内容を埋め込んだ制御信号を家電機器にホームネットワーク経由で送信するステップと、を含む。
【００１６】
また、上記課題を解決するため、本発明に係る家電機器制御方法は、警報信号を外部ネットワーク経由で受信し、家電機器の利用状態を示す通知をホームネットワーク経由で受信するステップと、通知を受信したことに応じて家電機器の利用状態を管理テーブルに記憶するステップと、受信した警報信号に基づいて家電機器の制御内容を特定し、管理テーブルに記憶された家電機器の利用状態に応じて制御信号を送信するか否かを決定するステップと、制御信号を送信すると決定したことに応じ、特定した家電機器の制御内容を埋め込んだ制御信号を家電機器にホームネットワーク経由で送信するステップと、を含む。
【００１７】
また、上記課題を解決するため、本発明に係る家電機器制御プログラムは、警報レベルの埋め込まれた警報信号を外部ネットワーク経由で受信するステップと、家電機器の制御内容と警報レベルとを対応づけて制御テーブルに記憶するステップと、受信した警報信号から警報レベルを解釈し、制御テーブルに基づいて解釈した警報レベルに対応した家電機器の制御内容を特定するステップと、特定した家電機器の制御内容を埋め込んだ制御信号を家電機器にホームネットワーク経由で送信するステップと、をコンピュータに実行させる。
【００１８】
また、上記課題を解決するため、本発明に係る家電機器制御プログラムは、警報信号を外部ネットワーク経由で受信し、家電機器の利用状態を示す通知をホームネットワーク経由で受信するステップと、通知を受信したことに応じて家電機器の利用状態を管理テーブルに記憶するステップと、受信した警報信号に基づいて家電機器の制御内容を特定し、管理テーブルに記憶された家電機器の利用状態に応じて制御信号を送信するか否かを決定するステップと、制御信号を送信すると決定したことに応じ、特定した家電機器の制御内容を埋め込んだ制御信号を家電機器にホームネットワーク経由で送信するステップと、をコンピュータに実行させる。
【発明の効果】
【００１９】
この発明によると、外部ネットワークから警報信号を受信すると、警報信号に埋め込まれた警報レベルに応じた家電機器の制御内容を特定し、特定された制御内容を埋め込んだ制御信号を家電機器に送信する。家電機器は、警報レベルに応じた制御内容で動作するため、家人が聴覚障害者であっても、家電機器の動作によって警報レベルを一目瞭然で把握できる。
【００２０】
また、この発明によると、家電機器の利用状況に応じて制御信号を送信するため、利用中の家電機器の近傍に存在すると考えられる家人に警報を通知することができ、通知の確実性が高まる。
【発明を実施するための最良の形態】
【００２１】
以下、添付した図面を参照し本発明の好ましい実施の形態を説明する。
【００２２】
図１は本発明の好ましい実施形態に係るホームセキュリティシステムの概略構成図である。このシステムは、電子レンジ２、冷蔵庫３、蛍光灯４、ＴＶ５、エアコン６、扇風機７、表示装置８、オーディオ９、ビデオ１０１、マッサージ器１０２等の各種家電機器（以下これらを総称して家電機器３００と表す）と、セキュリティ装置１と、サーバ５０とを備える。
【００２３】
サーバ５０は、災害情報や緊急情報を配信する配信サーバで構成可能であり、地方自治体などに設置されている。
【００２４】
家電機器３００は、ホームネットワーク２０を介してセキュリティ装置１と接続される。ホームネットワーク２０は、ある個人の家庭Ｈ内に設置されたＥＣＨＯＮＥＴ、HPNA、HomeRF、ＬＡＮなどで構成される。ホームネットワーク２０には、ライフライン制御装置３０も接続される。ライフライン制御装置３０は、当該家庭におけるライフライン（ガス３１、水道３２、電気３３など）の供給を制御する。この制御は、例えば、ガス３１、水道３２の元栓の開閉制御や電気３３のブレーカーのオン・オフ制御によって行われる。本明細書ではライフライン制御装置３０も家電機器３００に含める。
【００２５】
各家庭Ｈに設置されたセキュリティ装置１（図１では便宜上１つだけ図示）は、それぞれ外部ネットワーク４０を介してサーバ５０と接続されており、サーバ５から送信される各種の信号を受信する。
【００２６】
サーバ５０とセキュリティ装置１との接続経路は、例えばＳＩＰ（Session Initiation Protocol）サーバで構成された図示しない交換台サーバがネットワークアドレス（グローバルＩＰアドレスなど）、ポート、識別子（ＭＡＣアドレスなど）を用いて指定する。交換台サーバによってサーバ５０とセキュリティ装置１とのセッションが確立すると、以後サーバ５０とセキュリティ装置１とは交換台サーバを仲介することなく直接データを送受信する（ピアツーピア方式）。
【００２７】
外部ネットワーク４は、不特定多数のユーザが利用可能なインターネットなどのオープンネットワークで構成される。セキュリティ装置１からサーバ５０に各種の信号を送信することも可能である。外部ネットワーク４には、当該家庭Ｈの家人が保有する携帯電話機や家人の勤務先など家庭Ｈ外に設置されているパソコン等で構成された情報端末６０も接続されている。
【００２８】
図２はセキュリティ装置１の構成図である。セキュリティ装置１は、電源制御部１１、表示部１２、信号処理部１３、信号判断部１４、制御テーブル１５、家電管理テーブル１６、送受信部１７を備えている。
【００２９】
図示しないが、セキュリティ装置１には、外部ネットワーク４０からホームネットワーク２０への不正アクセスを防ぐファイアウォール機能を設けてもよい。好ましくは、セキュリティ装置１はコンピュータを備えたセットトップボックス型の電子機器である。
【００３０】
表示部１２は、ＬＥＤなどの表示装置で構成され、各種情報を表示する。
【００３１】
操作部１８は操作ボタン、操作スイッチ、タッチパネルなどで構成され、手動操作を受け付ける。
【００３２】
送受信部１７は、ホームネットワーク２０ないし外部ネットワーク４０と接続された通信モジュールであり、信号受信部１７ａ及び信号発信部１７ｂを有している。信号受信部１７ａは、外部ネットワーク４０を介してサーバ５０から各種信号、具体的には警報信号を受信する。また、信号受信部１７ａは、ホームネットワーク２０を介して家電機器３００から各種信号を受信する。信号発信部１７ｂはホームネットワーク２０を介して家電機器３００に各種信号を送信する。
【００３３】
信号処理部１３は、家電機器３００への各種信号の送信の符号化・パケット化処理を行うとともに、サーバ５０から受信した各種信号の復号化等、ホームネットワーク２０ないし外部ネットワーク４０を介したデータの送受信に関する各種処理を行う。
【００３４】
信号判断部１４は、信号受信部１７ａがサーバ５０から受信した警報信号に基づき、警報レベルを解釈する。警報レベルは警報の重要度や緊急度など警報のレベルを表し、予め警報信号に埋め込まれているものとする。信号判断部１４は、制御テーブル１５及び／又は家電管理テーブル１６を参照し、制御すべき対象となる家電機器３００及び当該家電機器３００の制御内容を判断・特定する。信号判断部１４は、特定された制御内容を信号処理部１３に送る。信号処理部１３は、信号判断部１４から送られた制御内容に応じた制御信号を符号化する。信号発信部１７ｂは、当該制御信号をパケット化し、制御対象の家電機器３００に送信する。
【００３５】
電源制御部１１は、電源ケーブル１００−Ａによって各家電機器３００と、電源ケーブル１００−Ｂによって電気３３と接続されており、電気３３から各家電機器３００への電源供給の開始及び停止を個別に制御する。
【００３６】
図３に示すように、電源制御部１１は、時計１０３のように、ホームネットワーク２０と接続されていない家電機器３００、あるいは冷蔵庫３等のようにホームネットワーク２０と接続されている家電機器３００と電源ケーブル１００−Ａによって接続される。
【００３７】
図４ないし５は家電機器３００の一例である電子レンジ２、ＴＶ５の要部構成を示す。図４を参照すると、電子レンジ２は、調理制御部２１、表示制御部２２、電源制御部２３、利用状態通知部２４を備えている。調理制御部２１は、電磁波を発生するマグネトロン装置、調理食品を回転させるターンテーブル、調理完了を報知する鳴動装置、加熱室ドアの開閉状態を検出するスイッチ等、図示しない各種調理用装置の動作を制御する。表示制御部２２は、加熱温度や加熱時間などを表示する表示装置（図示せず）の表示を制御する。電源制御部２３は、電源ケーブル１００−Ａ及びホームネットワーク２０と接続されており、セキュリティ装置１からの制御信号に基づいて電子レンジ２の各回路に対する電源オン・オフを行う。利用状態通知部２４は、電子レンジ２の利用状態（例えばマグネトロン装置の作動状態、加熱室ドアの開閉状態など）を示す通知を、ホームネットワーク２０を介して随時セキュリティ装置１に送信する。利用状態をリアルタイムに反映するため、この通知の送信タイミングは、利用状態が変化する度に行うことが好ましい。
【００３８】
図５を参照すると、ＴＶ５は、音声制御部５１、表示制御部５２、電源制御部５３、利用状態通知部５４を備えている。音声制御部５１は、放送信号から音声信号を分離して図示しないスピーカに出力する。表示制御部５２は、フラットブラウン管、ＴＦＴ液晶などで構成された図示しない表示装置に、放送信号から映像信号を分離して出力する。電源制御部５３は、電源ケーブル１００−Ａ及びホームネットワーク２０と接続されており、セキュリティ装置１からの制御信号に基づいてＴＶ５の各回路に対する電源オン・オフを行う。利用状態通知部５４は、ＴＶ５の利用状態（例えば音声再生、表示再生の有無、主電源のオン・オフ状態など）を示す通知を、ホームネットワーク２０を介して随時セキュリティ装置１に送信する。
【００３９】
なお、セキュリティ装置１の電源制御部１１単独でも電子レンジ２、ＴＶ５の電源オン・オフを制御することは可能であるが、この場合、電子レンジ２、ＴＶ５の全ブロックの電源供給が一括してオン・オフされる。電源供給の一括オン・オフを行えば、表示装置を持たない家電機器３００であっても、照明を明滅させる等、視覚的に認識可能な動作を行わせることができ、異常発生の通知が可能である。
【００４０】
図６は制御テーブル１５の記憶内容を概念的に示す。このテーブルは、所望の家電機器３００を対象とした制御内容と警報レベルと対応づけて記憶する。例えば、電子レンジ２については、制御内容「調理停止」・「大レベル警報表示」、「中レベル警報表示」、「小レベル警報表示」がそれぞれ警報レベル「大」、「中」、「小」に対応づけられて記憶されている。また、ＴＶ５については、制御内容「放映停止」・「大レベル警報表示」・「警報音再生」、「中レベル警報表示」・「音量アップ」、「小レベル警報表示」がそれぞれ警報レベル「大」、「中」、「小」に対応づけられて記憶されている。制御テーブル１５の記憶内容は表示部１２によって表示することができ、また、操作部１８の手動操作によって適宜更新・追加・削除することが可能である。
【００４１】
「大レベル警報表示」、「中レベル警報表示」、「小レベル警報表示」とは、警報レベルに対応した表示内容を示している。具体的には、「大レベル警報表示」は最も重要度の高い警報内容、「中レベル警報表示」は中程度の警報内容、「小レベル警報表示」は比較的重要度の低い警報内容を示す。これらの表示内容は、画面上の文字の大きさ、色の輝度や色彩などの表示上の差異によって、警報レベルが視覚的に即座に認識できるように構成することが好ましい。
【００４２】
図７は家電管理テーブル１６の記憶内容を概念的に示す。このテーブルは、ホームネットワーク２０に接続された各家電機器３００の利用状態を記憶する。この図では、例えば、電子レンジ２の利用状態は、「調理中」（即ちマグネトロン装置が動作中）であり、ＴＶ５の利用状態は「スタンバイ」であることが記憶されている。各家電機器３００の利用状態は各家電機器３００からホームネットワーク２０を介してセキュリティ装置１に通知される。信号判断部１４は、各家電機器３００の利用状態の通知を受信すると、その都度家電管理テーブル１６の記憶内容を更新する。こうすると各家電機器３００の利用状態をリアルタイムで家電管理テーブル１６に反映できる。
【００４３】
以下、図８及び９のフローチャートを参照し、本発明に係るセキュリティ装置１及びホームセキュリティシステムの動作を説明する。
【００４４】
図８は、信号判断部１４がサーバ５０から警報信号を受信した際、制御テーブル１５を参照して制御信号を家電機器３００に送信する動作の流れを示す。
【００４５】
サーバ５０は、地震、山火事、洪水、津波等の災害が発生したときや、大雨、土砂災害などの発生の危険性が高まったときなど、警報を家庭Ｈに通知する必要性が生じた場合、警報信号を家庭Ｈのセキュリティ装置１に送信する（Ｓ１）。上述のように警報信号には警報レベルが埋め込まれている。なお、セキュリティ装置１が複数ある場合、全てのセキュリティ装置１に警報信号を送るのではなく、必要なものに限定して送信してもよい。
【００４６】
信号判断部１４は、サーバ５０から受信した警報信号から警報レベルを解釈する（Ｓ２）。
【００４７】
信号判断部１４は、制御テーブル１５を参照し、警報信号から解釈した警報レベルに対応する家電機器３００の制御内容を特定する（Ｓ３）。信号判断部１４は、特定した家電機器３００の制御内容を埋め込んだ制御信号を家電機器３００に送信するよう信号処理部１３に依頼する。
【００４８】
信号処理部１３は、信号判断部１４の依頼に応じ、特定した家電機器３００の制御内容を埋め込んだ制御信号を生成する。この制御信号は信号発信部１７ｂによって家電機器３００に送信される（Ｓ４）。
【００４９】
家電機器３００はセキュリティ装置１から制御信号を受信すると、制御信号に埋め込まれた制御内容に従った動作を行う（Ｓ５）。例えば、ＴＶ５に送信された制御信号に「放映停止」が埋め込まれている場合、ＴＶ５の表示制御部５２は放送映像の表示を停止し、音声制御部５１は放映音声の再生を停止する。制御信号に「大レベル警報表示」が埋め込まれている場合、表示制御部５２は所定の警報をテレビ画面に表示する。「警報音再生」が埋め込まれている場合、音声制御部５１は所定の警報音をスピーカから再生するよう制御する。その他の家電機器３００も、制御信号を受信すると、制御信号に埋め込まれた制御内容に応じた動作を行う。例えば、電子レンジ２の調理停止及び警告メッセージの表示、ライフライン制御装置３０によるガス３１や水道３２の供給停止制御、エアコン６や扇風機７の動作停止等である。
【００５０】
セキュリティ装置１の表示部１２は、Ｓ２で解釈された警報レベルに対応する内容を表示する（Ｓ６）。表示内容は、警報レベルが視覚的に即座に認識できるように構成することが好ましい。例えば、警報レベルが「大」であれば「速やかに安全な場所へ避難してください」といったメッセージを表示する。ユーザは、表示部１２の表示内容によって警報の重要度を一目瞭然で知ることが可能である。
【００５１】
セキュリティ装置１の電源制御部１１は、Ｓ２で解釈された警報レベルに応じて家電機器３００の電源供給を制御する（Ｓ７）。例えば、解釈された警報レベルが「大」であれば、エアコン６や扇風機７の電源供給を切断し、ＴＶ５やオーディオ９への電源供給を開始する。電源制御部１１は、所望の警報レベルに応じた所望の家電機器３００の電源供給制御の内容を、操作部１８からの操作に基づいて設定しておき、この設定内容に従って制御を行ってもよい。こうすると、警報信号受信時において所望の家電機器３００の作動を警報レベルに応じて強制的に停止あるいは開始させることができる。
【００５２】
以上説明した通り、セキュリティ装置１は、サーバ５０から送信された警報信号の警報レベルを解釈し、解釈した警報レベルに応じた制御内容を特定し、特定した制御内容の埋め込まれた制御信号を家電機器３００に送信する。家電機器３００は受信した制御信号に埋め込まれた制御内容に従って動作し、警報の重要度をユーザに詳細に通知することが可能である。
【００５３】
信号判断部１４は、家電機器３００の利用状況に応じて制御信号を家電機器３００に送信するようにしてもよい。図９は、信号判断部１４がサーバ１０から警報信号を受信した際、制御テーブル１５及び家電管理テーブル１６を参照して制御信号を家電機器３００に送信する動作の流れを示す。
Ｓ１１〜Ｓ１３の動作、Ｓ１６〜Ｓ１８の動作はそれぞれ上述のＳ１〜Ｓ３、Ｓ５〜Ｓ７と同様であるため説明は省略する。Ｓ１４では、信号判断部１４は家電管理テーブル１６を参照し、家電機器３００の利用状態に応じて制御信号を送信するか否かを決定する。例えば、電子レンジ２の利用状態が「調理中」や「加熱室ドア開放」であれば、電子レンジ２は利用中であるとして制御信号の送信を決定する。あるいは、ＴＶ５が「スタンバイ」であれば、ＴＶ５は利用中でないものとして制御信号を送信しないと決定する。
【００５４】
Ｓ１５では、信号処理部１３は、信号判断部１４が制御信号を送信すると決定した家電機器３００に制御信号を送信する。なお、いずれの家電機器３００も利用されていないことが特定された場合や利用状態が特定できない場合、信号処理部１３は、情報端末６０に所定の音声又は文字メッセージの再生データを送信してもよい。こうすると、たまたま家人が外出中で家庭Ｈ内にいなくとも、サーバ５０から警報信号が送信されたことを認識できる。セキュリティ装置１から情報端末６０に所定の再生データを送信するか否かを操作部１８から任意に設定できるようにしてもよい。
【００５５】
図９の動作では、図８と異なり、家電機器３００の利用状況に応じて制御信号を送信する。家電機器３００の利用状況は、その家電機器３００の近傍に家人が存在するか否かを示すものと考えられるから、近傍に家人の存在する家電機器３００に制御信号を送信して動作させることで、さらに確実に警報の内容を通知することができる。換言すると、従来技術とは異なり、家人が警報に全く気づかないような家電機器３００に制御信号を送信して無意味に動作させるという結果を防げる。
【００５６】
家人の存在場所の近傍の家電機器３００にさらに確実に制御信号を送信するには、次のようにする。まず、家庭Ｈ内で殆ど移動することのない家電機器３００（エアコン６など）の近傍に人感センサを設置しておく。人感センサはホームネットワーク２０に接続し、セキュリティ装置１には予め移動しない家電機器３００とその近傍に設置された人感センサとの対応関係をデータとして記憶させておく。この対応関係は操作部１８によって任意に設定可能であるものとする。人感センサは人を検知するとセキュリティ装置１に通知する。セキュリティ装置１は、人を検知した人感センサに対応する家電機器３００に制御信号を送信するよう決定する。こうすると、家電機器３００の動作による警報通知がさらに確実に伝えられる。
【図面の簡単な説明】
【００５７】
【図１】本発明に係るホームセキュリティシステムのブロック図
【図２】本発明に係るセキュリティ装置のブロック図
【図３】電源制御部及び家電機器の電源コード配線を示す図
【図４】電子レンジの要部ブロック図
【図５】ＴＶの要部ブロック図
【図６】制御テーブルの記憶内容を概念的に示す図
【図７】家電管理テーブルの記憶内容を概念的に示す図
【図８】ホームセキュリティシステムの動作の流れを示すフローチャート
【図９】ホームセキュリティシステムの動作の流れを示すフローチャート
【符号の説明】
【００５８】
１：セキュリティ装置、２０：ホームネットワーク、４０：外部ネットワーク、５０：サーバ
【図１】
2006302110.tif 000003
【図２】
2006302110.tif 000004
【図３】
2006302110.tif 000005
【図４】
2006302110.tif 000006
【図５】
2006302110.tif 000007
【図６】
2006302110.tif 000008
【図７】
2006302110.tif 000009
【図８】
2006302110.tif 000010
【図９】
2006302110.tif 000011